(57)【要約】【課題】  複数の葉片を剥離可能に折り畳み対向する葉片間を疑似接着した情報通信体において、水濡れ時の基材破壊による剥離不能事故を防ぐことを目的とする。【解決手段】  用紙の剥離開始部分の両面に印刷インキ等によるベタ印刷Ｚを施す。【選択図】図１
2010012764.tif 000002
【特許請求の範囲】
【請求項１】
情報が表示されると共に折り線を介して連接された複数の葉片を折り畳み或いは切り重ね、前記折り畳み或いは切り重ねにより生じた対向葉片間を疑似接着フィルムを介して剥離可能に一体化した情報通信体において、剥離の端緒となる開封縁辺に印刷による水濡れ防止手段を施したことを特徴とした水濡れに強い情報通信体。
【発明の詳細な説明】
【技術分野】
【０００１】  本発明は、情報が表示された複数の葉片が剥離可能に折り畳まれ或いは切り重ねられた情報通信体に関する。
【背景技術】
【０００２】  最近隠蔽ハガキと称する多層構成のハガキが多用されている。このものは１枚のハガキであるにもかかわらず、情報が表示された複数の葉片が剥離可能に積層されているため、受取人は剥離開始部分から開封し展開することにより、従来の単葉のハガキよりも多量の情報を視認することができる。【０００３】  前記隠蔽ハガキは、例えばハガキ倍寸サイズの用紙が剥離可能に折り畳まれたものであれば、開封後平面に展開することで、単純計算で通常サイズのハガキの倍の情報を記載することができる。そして更にこのものは剥離後容易に再接着できないため、秘匿性も期待できる。即ち従来のハガキ料金でより多くの情報を、封書同様に秘匿状態で郵送できる優れものである。
【発明の開示】
【発明が解決しようとする課題】
【０００４】  ところで前記情報通信体には剥離可能に接着（以下疑似接着という）された疑似接着フィルムを介して対向葉片が一体化されたもの、或いは印刷された用紙の疑似接着予定面に疑似接着性のＵＶニスやエマルジョンの糊を塗布して皮膜を形成したもの（業界ではニス引き方式と称されている）、さらに印刷前の生用紙に疑似接着性の媒体を塗布したもの（業界では圧着紙と称されている）等に大別され市場で定着している。【０００５】  然るに上記各手法の情報通信体には共通の弱点が存在する。それは水濡れに対してほとんど抵抗力がないことである。水濡れによりフィルム方式以外の情報通信体においては対向する疑似接着界面が同化してブロッキングを起こす。そして紙基材自体の強度が低下するため開封しようとしても紙基材が破壊されてしまい連続的に開封することが困難になるのである。疑似接着界面に影響を受けることがないフィルム方式の場合でも、紙基材の強度が低下すると、開封しようとすると開封口の紙基材が破壊されて、密着性が良好なフィルムの疑似接着部分を剥離する糸口を失ってしまうのである。【０００６】  そのような状況下、例えば特開２００２−２３６４３号公報に水濡れに対して抵抗力のある疑似接着用紙が紹介されている。
このものは雨や水濡れ、高湿度下での保管により、疑似接着紙の紙基材表面および紙中の強度が低下し、紙裂け、紙基材破れが生じたり、疑似接着剤層の剥離などの問題を解決するとしている。
しかるに上記疑似接着用紙は、紙基材と疑似接着剤層との間に、撥水剤層を形成する必要があり、そのため工程や材料費が嵩みコスト高になる傾向があると共に製品の品質を安定させる上でも非常に高度な技術を必要とする。
【特許文献１】特開２００２−２３６４３号公報
【０００７】  本発明者等は鋭意研究の末、水濡れに強く、前記文献のようにコストが嵩むことなく、さらに容易に製品の品質を安定させることができる画期的な情報通信体を提供するものである。
【課題を解決するための手段】
【０００８】  上記目的を達成するために本発明の水濡れに強い情報通信体は、情報が表示されると共に折り線を介して連接された複数の葉片を折り畳み或いは切り重ね、前記折り畳み或いは切り重ねにより生じた対向葉片間を疑似接着フィルムを介して剥離可能に一体化した情報通信体において、剥離の端緒となる開封縁辺に印刷による水濡れ防止手段を施したことを特徴としている。【０００９】  疑似接着フィルムを使用した情報通信体は、本来フィルムが水濡れに強いため、開封が開始されれば紙基材が水濡れしていてもフィルムがその弱さをカバーしているために容易に開封することができる。従って、開封の端緒となるコーナー部分の紙基材が水濡れの影響を受けずに破れにくければ、他の部分が濡れていても容易に開封が可能になるのである。【００１０】  前記コーナー部分の水濡れ対策として本発明は公知の印刷インク等を使用する。即ち開封の端緒となるコーナー部分の基材表裏面に印刷を施し水の浸入を防ぐのである。印刷パターンはベタ印刷が好ましく、印刷する部分は対向する葉片の開封コーナー部分でなお且つそれぞれの葉片の表裏面になる。最低限開封コーナー部分の紙基材破壊をクリアーすれば、後はフィルムにより連続的な開封が可能になる。【００１１】  本発明で使用されるインクには特に制限はない。敢えて言うならばＵＶ系のインクやトナー系が好適に使用される。特にトナー系は撥水性が強いので本発明の実施に最適である。
また開封に関してより確実性を確保するために、用紙の表裏面以外にも用紙端部の断面部分までインクが行き届けばなおよい。
【発明の効果】
【００１２】  本発明の水濡れに強い情報通信体は、開封の糸口となる紙基材が印刷インク等により保護されている。従って、情報通信体の開封端部において疑似接着フィルムが剥離開始するまでに破壊、破断されることはない。また、疑似接着フィルムによる方式のため一旦開封が始まるとブロッキング等の事故もなく連続的に剥離を行うことが可能である。
【発明を実施するための最良の形態】
【００１３】  以下本発明を図面に沿って説明する。
図１（Ａ）および（Ｂ）は二つ折り葉書用紙の表面図及び裏面図である。図２は二つ折り葉書の斜視図である。図３は開封した二つ折り葉書の内面側の平面図である。図４（Ａ）及び（Ｂ）は三つ折（Ｚ折り）葉書の表面図及び裏面図である。図５はＺ折り葉書の斜視図である。【００１４】  まず本発明で最も基本的な情報通信体の二つ折り葉書について説明する。
図１（Ａ）に示す如く、二つ折り葉書用紙Ｓ１は第一葉片１と第二葉片２が折り線３（必ずしも表示される必要はなく折り筋やミシン目に代えても構わない）を介して横方向（縦方向でも構わない）に連接されている。また第一葉片１表面には広告宣伝等の一般情報７、第二葉片２表面には郵便切手欄４、郵便番号欄５、受取人の住所氏名６等が記載されている。なお各葉片の下側コーナーには水濡れ対策としてベタ印刷Ｚが施されている。そして第一葉片１及び第二葉片２裏面には、図１（Ｂ）に示す如く個人的な秘密情報８が記載されている。この秘密情報は必ずしも秘匿性のものである必要はなく、前記一般情報や一般情報と個人情報が混在する内容のものでも構わない。なお各葉片裏面の下側コーナーにも水濡れ対策としてベタ印刷Ｚが施されている。【００１５】  この二つ折り用紙Ｓ１は図２に示す如く疑似接着フィルムＧを介して折り線３から折り畳まれる。開封の際に利用されるコーナー部分は表裏面共にベタ印刷Ｚが施されており、水濡れ時に破れにくいように補強されている。そしてこの葉書の受取人はコーナーのベタ印刷Ｚ部分の開封口から剥離して、図３に示す如く平面に展開させて内部の各種情報を疑似接着フィルムＧを透して視認できるのである。
同図に示す如く、疑似接着フィルムの開封端緒となる各葉片下側コーナーは両面がベタ印刷Ｚにより水濡れ対策が施されているために、指でつまんでも破壊されることなく確実に剥離を開始することができる。そして一旦剥離が開始されれば、後は水に対して影響を受けることのないフィルム同士が、用紙の水濡れに関係なく連続的に剥離されるのである。【００１６】  次に三つ折（Ｚ折り）の場合について説明する。
図４に示す如く、三つ折葉書用紙Ｓ２は、第一葉片２１、第二葉片２２及び第三葉片２３が折り線２４、２５（必ずしも表示される必要はなく折り筋やミシン目に代えても構わない）を介して横方向（縦方向でも構わない）に連接されている。第一葉片２１及び第二葉片２２表面には個人情報２９が記載されており、第三葉片２３表面には郵便切手欄２６、郵便番号欄２７、受取人の住所氏名２８が記載されている。また各葉片下側コーナーにはベタ印刷Ｚが施されている。そして第三葉片２３、第二葉片２２裏面には個人情報２９が記載されると共に第一葉片２１裏面には一般情報３０が記載されている。そして表面と同様に各葉片下側コーナーにはベタ印刷Ｚが施されている。【００１７】  前記三つ折葉書用紙Ｓ２は図５に示す如く、折り線２４、２５から断面Ｚ字状に折り畳まれる。そして既述の２つ折り葉書と同様に、開封の際に利用されるコーナー部分は表裏面共にベタ印刷Ｚが施されており、水濡れ時に破れにくいように補強されているのである。そしてこの葉書の受取人はコーナーのベタ印刷Ｚ部分の開封口から剥離して、折り畳む前の平面状態に展開させて内部の各種情報を疑似接着フィルムＧを透して視認できるのである。【００１８】  なお、本発明は前記実施例に限られるものではない。
例えば、ベタ印刷Ｚ部分にあっては用紙表面のみならず、側面部分にもインク等が行き届けばなお良い。またベタ印刷Ｚを設ける位置には制限はなく、例えば葉片上側のコーナーに設けても構わない。さらにベタ印刷Ｚの印刷範囲にも制限はなく、可能な限り広い部分を覆うように設定するとなお良い。
情報通信体の形態に関しても格段の制限はない。例えば本実施例の三つ折はＺ折りを紹介しているが巻き折りの形態でも構わない。更に４葉片以上の折り畳み形態でも構わず、その場合蛇腹折り、巻き折り、それらの混合折り、観音開き折り等が選択できる。いずれにしても用紙開封部分にベタ印刷を施して補強しておけばよいのである。【００１９】  また、水濡れ時の情報通信体の開封をさらに容易にする手段として、例えば図６に示す如く疑似接着フィルムＧの剥離口部分に非接着域Ｊ（接着力を弱くしても構わない）を設ける方法がある。即ち、同図（Ｂ）に示す如く、例えば剥離可能に積層されたフィルム３１、３２の両外側に感熱接着剤層３３を設けた４層構成の疑似接着フィルムＧの剥離口部分にシリコンや印刷インク等による非接着域Ｊを設けておけば、水濡れ時においてもその部分が容易に剥離できるためストレスなく情報通信体を開封剥離することができる。
【図面の簡単な説明】
【００２０】
【図１】  （Ａ）および（Ｂ）は二つ折り葉書用紙の表面図及び裏面図である。
【図２】  二つ折り葉書の斜視図である。
【図３】  開封した二つ折り葉書の内面側の平面図である。
【図４】  （Ａ）及び（Ｂ）は三つ折（Ｚ折り）葉書の表面図及び裏面図である。
【図５】  Ｚ折り葉書の斜視図である。
【符号の説明】
【００２１】Ｓ１、Ｓ２  葉書用紙
Ｚ  ベタ印刷
Ｇ  疑似接着フィルム
１、２、２１、２２、２３  葉片
３、２４、２５  折り線
４、２６  郵便切手欄
５、２７  郵便番号欄
６、２８  受取人住所氏名
７、３０  一般情報
８、２９、２９  個人情報
【図１】
2010012764.tif 000003
【図２】
2010012764.tif 000004
【図３】
2010012764.tif 000005
【図４】
2010012764.tif 000006
【図５】
2010012764.tif 000007
【図６】
2010012764.tif 000008
【手続補正書】
【提出日】平成20年8月28日(2008.8.28)
【手続補正１】
【補正対象書類名】明細書
【補正対象項目名】００２０
【補正方法】変更
【補正の内容】
【００２０】
【図１】（Ａ）および（Ｂ）は二つ折り葉書用紙の表面図及び裏面図である。
【図２】二つ折り葉書の斜視図である。
【図３】開封した二つ折り葉書の内面側の平面図である。
【図４】（Ａ）及び（Ｂ）は三つ折（Ｚ折り）葉書の表面図及び裏面図である。
【図５】Ｚ折り葉書の斜視図である。
【図６】（Ａ）及び（Ｂ）は本発明の異なる態様を示す平面図及び側面図である。
【手続補正２】
【補正対象書類名】明細書
【補正対象項目名】００２１
【補正方法】変更
【補正の内容】
【００２１】Ｓ１、Ｓ２  葉書用紙Ｚ  ベタ印刷Ｇ  疑似接着フィルム１、２、２１、２２、２３  葉片３、２４、２５  折り線４、２６  郵便切手欄５、２７  郵便番号欄６、２８  受取人住所氏名７、３０  一般情報８、２９、２９  個人情報